(57)【要約】【課題】内部に貯留された人工骨が意図せずに排出されてしまうことを抑制し得る人工骨補填容器を、より簡易に実現する。【解決手段】人工骨補填容器１は、貯留部１０及び縮径部１２を有する筒部２とスリット３とを備える。貯留部１０を第１軸線Ｏと直交する方向に切断した切断面における貯留部１０の内周面に外接する第１外接円の直径は、人工骨３０を第２軸線Ｚ１と直交する方向に切断した切断面における人工骨３０の外周面に外接する第２外接円の直径以上である。縮径部１２は、第１軸線Ｏと直交する方向の切断面における自身の内周面に外接する第３外接円の直径が一端側に向かうにつれて小さくなり、第３外接円のうちの最小の直径Ｄ３が第２外接円の直径Ｄ２よりも小さい。スリット３は、縮径部１２の一端側の端部を越えて他端側まで延び、スリット３の長さは第１外接円の直径の１．０２倍〜１．６２倍の範囲内である。【選択図】図２
2020178901.tif 000002
【特許請求の範囲】
【請求項１】
第１軸線の方向に沿って延びる一端および他端が開口した筒状の筒部を備え、
前記筒部は、前記一端から前記他端側に向かって延びるスリットを有するとともに、自身の内部に第２軸線の方向に沿った外周面を有する人工骨を前記第１軸線に沿うように複数収容し、前記筒部の前記一端側の開口から前記人工骨を排出する人工骨補填容器であって、
前記筒部は、
自身の内周面の形状が前記第１軸線の方向の所定範囲に亘って一定であるとともに、前記人工骨の外周面を自身の内周面に対向させる位置関係で前記人工骨を自身の内部に貯留する貯留部と、
前記貯留部よりも前記一端側に設けられるとともに前記一端側に向かうにつれて自身の内部空間が狭くなる縮径部と、
を有し、
前記貯留部を前記第１軸線と直交する方向に切断した切断面における前記貯留部の内周面に外接する第１外接円の直径は、前記人工骨を前記第２軸線と直交する方向に切断した切断面における前記人工骨の外周面に外接する第２外接円の直径以上であり、
前記縮径部は、前記第１軸線と直交する方向の切断面における自身の内周面に外接する第３外接円の直径が前記一端側に向かうにつれて小さくなり、前記第３外接円のうちの最小の直径が前記第２外接円の直径よりも小さく、
前記スリットは、前記縮径部の前記一端側の端部を越えて前記他端側まで延びており、
前記スリットの長さは、前記第１外接円の直径の１．０２倍〜１．６２倍の範囲内である
人工骨補填容器。
【請求項２】
前記第１外接円の直径をＤ１とし、前記第２外接円の直径をＤ２とした場合に、
０≦（Ｄ１−Ｄ２）／Ｄ１≦０．０８３
である請求項１に記載の人工骨補填容器。
【請求項３】
前記筒部は、前記縮径部よりも前記一端側にガイド部を備え、
前記ガイド部の前記第１軸線と直交する方向の切断面における自身の内周面に外接する第４外接円の直径は、前記第３外接円のうちの最小の直径よりも大きい
請求項１又は請求項２に記載の人工骨補填容器。
【請求項４】
前記縮径部は、前記一端側に向かうにつれて厚さが大きくなる
請求項１から請求項３のいずれか一項に記載の人工骨補填容器。
【発明の詳細な説明】
【技術分野】
【０００１】
本発明は人工骨補填容器に関するものである。
【背景技術】
【０００２】
特許文献１には、円柱状や顆粒状の人工骨を骨欠損部に補填するために用いられる人工骨補填容器が開示されている。この人工骨補填容器は、両端が開口した管状部を有しており、管状部の排出側端部は、排出側とは反対側の端部から充填された人工骨が排出されないようにすぼまっている。更に、管状部には、排出側端部寄りに設けられた縮径部から管状部の中心軸と同方向に延びるように切り込みが設けられている。この人工骨補填容器は、排出側とは反対側の端部から細い棒が挿入されることで人工骨が押し出され、押し出される人工骨によって縮径部が外側に広げられる。そして、縮径部を通り抜けた人工骨が排出側端部から排出されるようになっている。
【先行技術文献】
【特許文献】
【０００３】
【特許文献１】特開２０１８−１１４２５５号公報
【発明の概要】
【発明が解決しようとする課題】
【０００４】
この種の人工骨補填容器では、出荷時に高圧蒸気滅菌等が施されることにより滅菌された状態で出荷されることが多く、滅菌時に加わる熱によって排出口先端側が変形する懸念がある。特に、切り込み部付近は他の部位よりも変形しやすいため、滅菌時に加わる熱によって外側に拡がるような変形が生じやすい。また、熱による影響以外でも、切り込み部付近が外側に拡がるような変形は懸念される。
【０００５】
切り込み部付近が外側に拡がるように変形することで縮径部（すぼまった部分）の開口が大きくなると、人工骨補填容器内に充填された人工骨が意図せずに外部に排出される事態が生じやすくなる。例えば輸送中に振動などが生じたときに意図せずに人工骨が外部に排出されてしまうといった事態が生じやすくなる。
【０００６】
この問題に関し、特許文献１の人工骨補填容器では、切り込み部が形成された管状部に対して外側から外装チューブを被せることで切り込み部付近が外側に広がることを抑えている。
【０００７】
しかし、特許文献１の人工骨補填容器は、縮径部が外側に広がらないようにするために別部材（外装チューブ）を用いることが必須となる。従って、外装チューブを別途付加することに起因する問題（例えば、コストの増加、部品点数の増加、外装チューブの装着及び離脱を行う作業負担の増加等）が懸念される。
【０００８】
本発明は、上述した課題の少なくとも一つを解決するためになされたものであり、内部に貯留された人工骨が意図せずに排出されてしまうことを抑制し得る人工骨補填容器を、より簡易に実現することを目的としている。
【課題を解決するための手段】
【０００９】
本発明の人工骨補填容器は、
第１軸線の方向に沿って延びる一端および他端が開口した筒状の筒部を備え、
前記筒部は、前記一端から前記他端側に向かって延びるスリットを有するとともに、自身の内部に第２軸線の方向に沿った外周面を有する人工骨を前記第１軸線に沿うように複数収容し、前記筒部の前記一端側の開口から前記人工骨を排出する人工骨補填容器であって、
前記筒部は、
自身の内周面の形状が前記第１軸線の方向の所定範囲に亘って一定であるとともに、前記人工骨の外周面を自身の内周面に対向させる位置関係で前記人工骨を自身の内部に貯留する貯留部と、
前記貯留部よりも前記一端側に設けられるとともに前記一端側に向かうにつれて自身の内部空間が狭くなる縮径部と、
を有し、
前記貯留部を前記第１軸線と直交する方向に切断した切断面における前記貯留部の内周面に外接する第１外接円の直径は、前記人工骨を前記第２軸線と直交する方向に切断した切断面における前記人工骨の外周面に外接する第２外接円の直径以上であり、
前記縮径部は、前記第１軸線と直交する方向の切断面における自身の内周面に外接する第３外接円の直径が前記一端側に向かうにつれて小さくなり、前記第３外接円のうちの最小の直径が前記第２外接円の直径よりも小さく、
前記スリットは、前記縮径部の前記一端側の端部を越えて前記他端側まで延びており、
前記スリットの長さは、前記第１外接円の直径の１．０２倍〜１．６２倍の範囲内である。
【００１０】
上記の人工骨補填容器は、スリットの長さが第１外接円の直径の１．０２倍以上であるため、スリットの長さが短すぎることに起因する排出の困難性を軽減することができる。よって、スリット近傍の片持ち状部分が変形しにくいこと、即ち筒部の一端側が拡径しにくいことに起因する過度な押し込み操作等を防ぎやすくなる。一方で、スリットの長さが第１外接円の直径の１．６２倍以下であるため、スリットの長さが長すぎることに起因する意図しない変形を抑制することができる。よって、熱や振動等の外的要因によってスリット近傍の片持ち状部分が変形しすぎることを抑制することができ、使用者が意図しない時期に人工骨が排出されてしまうことを抑えることができる。
ゆえに、内部に貯留された人工骨が意図せずに排出されてしまうことを抑制し得る人工骨補填容器を、より簡易に実現しうる。
【００１１】
上記の人工骨補填容器は、第１外接円の直径をＤ１とし、第２外接円の直径をＤ２とした場合に、０≦（Ｄ１−Ｄ２）／Ｄ１≦０．０８３であってもよい。
【００１２】
この構成によれば、人工骨の外周面と貯留部の内周面とが対向する正規の位置関係で人工骨が貯留部内に貯留された後、人工骨が不正な姿勢（人工骨の外周面が貯留部の内周面に適正に対向しない姿勢）に変化するように回転することを防ぎやすくなる。よって、人工骨が上記「不正な姿勢」に変化することに起因する詰まりを防ぎやすくなり、正規の排出操作時に人工骨が良好に排出されやすくなる。
【００１３】
上記の人工骨補填容器において、筒部は、縮径部よりも一端側にガイド部を備えていてもよい。そして、ガイド部の第１軸線と直交する方向の切断面における自身の内周面に外接する第４外接円の直径は、第３外接円のうちの最小の直径よりも大きくなっていてもよい。
【００１４】
この構成によれば、一端側を拡径させながら縮径部付近を通り抜けた人工骨をガイド部の内周面によって案内することができる。よって、一端から排出されようとする人工骨が筒部の軸線上から大きく外れるような「ずれ」を抑制することができる。
【００１５】
上記の人工骨補填容器において、縮径部は、一端側に向かうにつれて厚さが大きくなっていてもよい。
【００１６】
この構成によれば、人工骨が容器の一端側を拡径する際に人工骨から押圧を受ける部分の強度を高めることができる。
【発明の効果】
【００１７】
本発明によれば、内部に貯留された人工骨が意図せずに排出されてしまうことを抑制し得る人工骨補填容器を、より簡易に実現することができる。
【図面の簡単な説明】
【００１８】
【図１】図１は、第１実施形態の人工骨補填容器を概略的に例示する正面図である。
【図２】図２は、図１のＡ−Ａ線で切断した切断面を概略的に例示する断面図である。
【図３】図３は、第１実施形態の人工骨補填容器を概略的に例示する底面図である。
【図４】図４は、人工骨を概略的に例示する平面図である。
【図５】図５は、人工骨を概略的に例示する正面図である。
【図６】図６は、人工骨を高さ方向中央位置で第２平面方向（高さ方向と直交する平面方向）に切断した切断面を概略的に例示する正面図である。
【図７】図７は、実験例１の実験結果を示す説明図である。
【図８】図８は、実験例２の実験結果を示す説明図である。
【図９】図９は、第２実施形態の人工骨補填容器を概略的に例示する正面図である。
【図１０】図１０は、図９のＢ−Ｂ線で切断した切断面を概略的に例示する断面図である
【図１１】図１１は、第２実施形態の人工骨補填容器を底面側から見た構成を所定の向きで概略的に例示する図である。
【図１２】図１２は、第２実施形態の人工骨補填容器において筒部を第１平面方向に切断した切断面を所定の向きで概略的に例示する断面図である。
【発明を実施するための形態】
【００１９】
１．第１実施形態
１−１．人工骨補填容器１
図１で例示される人工骨補填容器１は、顆粒状の人工骨３０を骨欠損部に補填するために用いられる器具である。人工骨補填容器１は、自身の内部に第２軸線の方向に沿った外周面を有する人工骨３０を第１軸線Ｏに沿うように複数収容し、筒部２の一端側の開口から各々の人工骨３０を排出するように機能する。人工骨補填容器１は、第１軸線Ｏの方向に沿って延びる細長い筒状をなしており、例えばポリカーボネート、ポリプロピレン、ポリサルフォン、ポリエチレンテレフタレート、ポリエチレン等の樹脂材料からなる。
【００２０】
第１軸線Ｏは、後述する筒部２の中心軸であり、筒部２の内周面及び外周面の中心となっている。なお、本明細書では、第１軸線Ｏの方向の一端側を先端側とし、第１軸線Ｏの方向の他端側を後端側とする。具体的には、人工骨補填容器１において第１開口部４が設けられた側が他端側（後端側）であり、第２開口部５が設けられた側が一端側（先端側）である。以下の説明では、筒部２の一端を先端とも称し、筒部２の他端を後端とも称する。
【００２１】
人工骨補填容器１は、スリット３を有する筒部２を備える。
【００２２】
筒部２は、上記第１軸線Ｏの方向に沿って延び、両端が開口した形状をなしている。筒部２は、後端側に第１開口部４が設けられ、先端側に第２開口部５が設けられている。第１開口部４は、人工骨補填容器１の後端において人工骨３０（図４及び図５参照）の入口（挿入口）として機能するとともに、筒部２内に貯留された人工骨３０を押し出す棒状の押出器の挿入口としても機能する。第２開口部５は、人工骨補填容器１の先端において人工骨３０の出口（排出口）として機能する。筒部２における第１軸線Ｏの方向の各位置での厚さは、例えば０．３ｍｍ〜１．０ｍｍの範囲内となっている。
【００２３】
図２で示されるように、筒部２は、貯留部１０と、縮径部１２と、小径部１４と、ガイド部１６とを有する。図２では、第１軸線Ｏの方向において、貯留部１０の領域を符号ＡＲ１で示し、縮径部１２の領域を符号ＡＲ２で示し、小径部１４の領域を符号ＡＲ３で示し、ガイド部１６の領域を符号ＡＲ４で示す。筒部２は、第１軸線Ｏの方向のいずれの位置でも、第１軸線Ｏと直交する方向（以下、第１平面方向ともいう）に切断した切断面における内周面及び外周面の形状が円形状（具体的には、真円又は真円の一部が欠けた円形状）となるように構成されている。
【００２４】
筒部２は、第１軸線Ｏの方向の略全範囲において、上記第１平面方向に切断した切断面での外周面の形状が一定外径の円形状（具体的には、真円又は真円の一部が欠けた円形状）となるように構成されている。このような一定外径の外周面は、貯留部１０の領域と、縮径部１２の領域と、小径部１４の領域と、ガイド部１６の領域とに跨るように配置されている。
【００２５】
図２で示されるように、貯留部１０は、自身の内周面１０Ａの形状が第１軸線Ｏの方向の所定範囲に亘って一定であるとともに、人工骨３０の外周面３０Ａを自身の内周面１０Ａに対向させる位置関係で人工骨３０を自身の内部に貯留する部分である。貯留部１０は、筒状（より具体的には円筒状）をなしており、第１開口部４と第２開口部５との間に配置されている。貯留部１０は、自身の後端の開口部が上述した第１開口部４となっており、第１開口部４から入れられた人工骨３０を貯留するように機能する。貯留部１０は、第１軸線Ｏと直交する平面方向（第１平面方向）の切断面での自身の内周面１０Ａの形状が第１軸線Ｏの方向の所定範囲に亘って一定である筒状をなしている。具体的には、貯留部１０における第１軸線Ｏの方向のいずれの位置でも、上記第１平面方向で切断したときの切断面での内周面１０Ａの形状が第１軸線Ｏを中心とする直径Ｄ１の円又は直径Ｄ１の円の一部が欠けた円形状となっている。つまり、貯留部１０は、第１軸線Ｏの方向の所定範囲に亘って内周面１０Ａの直径が一定の直径Ｄ１となっている。
【００２６】
なお、本明細書において、「内周面の径」とは、上記第１平面方向（第１軸線Ｏと直交する平面方向）で切断した切断面での内周面の径を意味し、上記第１平面方向で切断したときの内周面の形状が第１軸線Ｏを中心とする円である場合、その円の直径を意味する。また、上記第１平面方向で切断した切断面での内周面の形状が第１軸線Ｏを中心とする円の一部を欠いた円形状である場合、その切断面において第１軸線Ｏを中心として内周面を通る円の直径を意味する。
【００２７】
貯留部１０における第１軸線Ｏの方向のいずれの位置でも、上記第１平面方向で切断したときの切断面での外周面１０Ｂの形状が第１軸線Ｏを中心とする直径Ｄａの円又は直径Ｄａの円の一部が欠けた円形状となっている。つまり、貯留部１０は、第１軸線Ｏの方向の所定範囲に亘って外周面１０Ｂの直径が一定の直径Ｄａとなっている。このように、貯留部１０は、内周面１０Ａが第１軸線Ｏを中心とする直径Ｄ１の円形状であり且つ外周面１０Ｂが第１軸線Ｏを中心とする直径Ｄａの円形状である部分が第１軸線Ｏの方向において所定範囲に亘って設けられている。
【００２８】
貯留部１０を第１軸線Ｏの方向のいずれの位置で第１軸線Ｏと直交する方向（第１平面方向）に切断した切断面においても、貯留部１０の内周面１０Ａに外接する第１外接円の直径Ｄ１は一定となる。本構成のように、貯留部１０を第１軸線Ｏの方向のいずれの位置で第１平面方向に切断した切断面でも内周面１０Ａが第１軸線Ｏを中心とする一定の直径Ｄ１の円形状（直径Ｄ１の円、又は直径Ｄ１の円の一部が欠けた円形状）である場合、貯留部１０を第１軸線Ｏの方向のいずれの位置で第１軸線Ｏの方向と直交する方向（第１平面方向）に切断した切断面でも、第１軸線Ｏを中心として内周面１０Ａの位置を通る円が第１外接円となる。図３では、第１外接円の形状及び大きさを符号Ｒ１が付された図形で概念的に示す。
【００２９】
このように構成された貯留部１０は、人工骨３０の外周面３０Ａを自身の内周面１０Ａに対向させる位置関係で複数の人工骨３０を自身の内部に一列に貯留するように機能する。
【００３０】
縮径部１２は、筒状をなし、貯留部１０よりも一端側（先端側）に設けられ、一端側（先端側）に向かうにつれて自身の内部空間が狭くなる構成をなす。縮径部１２の内周面１２Ａは、先端側に向かうにつれて窄まるように小さくなる（内部空間が狭くなる）窄み面となっている。縮径部１２は、貯留部１０の先端側に続く構成で設けられ、貯留部１０の先端が縮径部１２の後端と一致している。縮径部１２の後端での内周面１２Ａの径は、筒部２の先端での内周面の径（上記直径Ｄ１）と同一となっている。
【００３１】
縮径部１２は、一端側（先端側）に向かうにつれ、第１平面方向（第１軸線Ｏと直交する平面方向）の切断面において自身の内周面１２Ａの径が小さくなる。つまり、縮径部１２を第１軸線Ｏの方向の各位置で第１平面方向に切断した各切断面は、先端側の切断面ほど、内周面１２Ａの径が小さくなる。なお、縮径部１２を第１軸線Ｏの方向のいずれの位置で上記第１平面方向に切断した切断面でも、内周面１２Ａの形状は第１軸線Ｏを中心とする円又は第１軸線Ｏを中心とする円の一部が欠けた円形状となる。本構成のように、縮径部１２を第１軸線Ｏの方向のいずれの位置で第１平面方向に切断した切断面でも内周面１２Ａが第１軸線Ｏを中心とする円又は第１軸線Ｏを中心とする円の一部が欠けた円形状となる場合、縮径部１２を第１軸線Ｏの方向のいずれの位置で第１軸線Ｏと直交する方向（第１平面方向）に切断した切断面でも、第１軸線Ｏを中心として内周面１２Ａの位置を通る円が第３外接円となる。そして、縮径部１２は、第１軸線Ｏと直交する方向（第１平面方向）の切断面における自身の内周面１２Ａに外接する第３外接円の直径が、一端側（先端側）に向かうにつれて小さくなる。そして、縮径部１２は、自身の一端に位置する先端１２Ｃ（後述する小径部１４との境界）において第３外接円の直径が最も小さくなる。図２では、第３外接円の直径が最も小さくなる位置での第３外接円の直径をＤ３としている。
【００３２】
縮径部１２において第１軸線Ｏの方向のいずれの位置でも外周面１２Ｂの径はＤａで一定である。従って、縮径部１２は、一端側（先端側）に向かうにつれて厚さ（軸線と直交する半径方向の肉厚）が大きくなっている。
【００３３】
小径部１４は、筒状をなしており、縮径部１２とガイド部１６との間に設けられ、縮径部１２とガイド部１６とを連結する。小径部１４は、縮径部１２の先端側に続く構成で設けられ、縮径部１２の先端が小径部１４の後端と一致している。小径部１４における第１軸線Ｏの方向のいずれの位置でも、小径部１４の内周面の径は縮径部１２の先端での内周面の径（上記直径Ｄ３）と同一となっている。
【００３４】
ガイド部１６は、筒状をなしており、縮径部１２よりも一端側（先端側）に設けられる。ガイド部１６は、小径部１４の先端側に続く構成で設けられ、小径部１４の先端位置がガイド部１６の後端位置となっている。また、ガイド部１６の後端の開口部が上述の第２開口部５となっている。
【００３５】
ガイド部１６を第１軸線Ｏの方向のいずれの位置で第１平面方向（第１軸線Ｏと直交する平面方向）に切断した切断面においても、内周面１６Ａの形状が第１軸線Ｏを中心とする円形状（具体的には、第１軸線Ｏを中心とする円の一部を欠いた円形状）をなす。ガイド部１６は、先端側に向かうにつれ、上記第１平面方向の切断面において自身の内周面１６Ａの径が大きくなる。
【００３６】
より具体的には、ガイド部１６の内周面１６Ａは、後端付近において径が一定の内周面Ｘ１（円筒状面）と、内周面Ｘ１よりも先端側において先端側ほど径が大きくなる内周面Ｘ２（拡径面）とを有する。また、内周面Ｘ１の径は小径部１４の内周面の径よりも大きく、内周面Ｘ１と小径部１４の内周面とが段差状となっている。
【００３７】
本構成のように、ガイド部１６を第１軸線Ｏの方向のいずれの位置で第１平面方向に切断した切断面でも内周面１６Ａが第１軸線Ｏを中心とする円の一部が欠けた円形状となる場合、ガイド部１６を第１軸線Ｏの方向のいずれの位置で第１軸線と直交する方向（第１平面方向）に切断した切断面でも、第１軸線Ｏを中心として内周面１６Ａの位置を通る円が第４外接円となる。そして、ガイド部１６は、一端側（先端側）に向かうにつれ、第１軸線と直交する方向（第１平面方向）の切断面における自身の内周面１６Ａに外接する第４外接円の直径が大きくなる。そして、ガイド部１６を第１軸線Ｏの方向のいずれの位置で第１軸線と直交する方向（第１平面方向）に切断した切断面でも、第４外接円の直径は、上述の第３外接円のうちの最小の直径Ｄ３よりも大きくなる。
【００３８】
スリット３は、筒部２の一端（先端）から他端側（後端側）に向かって延びる構成をなし、筒部２の一端（先端）から、上述のガイド部１６、小径部１４、縮径部１２、及び貯留部１０の一部に跨るように切り欠かれた形態で溝状に構成されている。スリット３は、少なくとも縮径部１２の一端側（先端側）の端部を越えて他端側（後端側）まで延びており、より具体的には、貯留部１０の一端（先端）よりも他端側（後端側）まで延びている。
【００３９】
図３で示されるように、スリット３は、筒部２の周方向の複数箇所（本実施例では４箇所）に等間隔で設けられている。筒部２は、周方向において隣り合うスリット間に設けられた複数（本実施例では４つ）の片持ち部６を有している。片持ち部６は、第１軸線Ｏの方向に沿って延びており、後端部が固定された片持ち状をなしている。この片持ち部６は、後端部を支点として第１軸線Ｏの方向と直交する方向に弾性変形（撓み変形）し得る構成となっている。
【００４０】
このように構成されるため、貯留部１０内に貯留された人工骨３０が後端側から押圧されると、貯留部１０において最も先端側に配置された人工骨３０が縮径部１２の内周面１２Ａを先端側に向かって押圧し、これにより片持ち部６の各々が径方向外側に撓むように変形することとなる。その結果、縮径部１２内の空間が広がるように拡径し、人工骨３０が縮径部１２を越えるように先端側に向かって通過し、人工骨３０が第２開口部５から排出される。
【００４１】
図４、図５に示されるように、人工骨３０は、第１幅ＢＷ、第２幅ＢＬ、高さＢＨの略四角柱状をなしている。第１幅ＢＷと第２幅ＢＬは同じ長さである。第１幅ＢＷ及び第２幅ＢＬはいずれも高さＢＨよりも短い。
【００４２】
なお、本明細書では、人工骨３０の第２軸線Ｚ１の方向を高さ方向とし、高さ方向の長さを高さＢＨとしている。人工骨３０において高さ方向と直交する第１幅方向の長さを第１幅ＢＷとし、人工骨３０において高さ方向及び第１幅方向と直交する第２幅方向の長さを第２幅ＢＬとしている。図４、図５では、第１幅方向をＸ軸方向とし、第２幅方向をＹ軸方向とし、高さ方向をＺ軸方向としている。人工骨３０は、高さ方向を軸方向とした場合の径方向外側の外面が外周面であり、具体的には、第１幅方向の両側に配置される外面３０Ｂ，３０Ｃ及び第２幅方向の両側に配置される外面３０Ｄ，３０Ｅがいずれも外周面の一部である。外面３０Ｂ，３０Ｃ及び外面３０Ｄ，３０Ｅは、第２軸線Ｚ１に沿った面、即ち、高さ方向に沿った平坦面であり、具体的には、高さ方向と平行な平坦面となっている。人工骨３０は、第２軸線Ｚ１に沿った向きに配される複数の外面３０Ｂ，３０Ｃ，３０Ｄ，３０Ｅのうち、外面３０Ｂと外面３０Ｃとが平行であり、外面３０Ｄと外面３０Ｅとが平行である。そして、外面３０Ｂ，３０Ｃと外面３０Ｄ，３０Ｅとが垂直の関係にある。これら外面３０Ｂ，３０Ｃ，３０Ｄ，３０Ｅを通り且つ第２軸線Ｚ１と直交する方向の切断面での外形は。図６のように所定数の角を有する多角形状（具体的には、4つの角を有する四角形状）となっている。なお、図６の例では、正方形の角を所定の湾曲度合いで湾曲させた正方形状の外形形状となっている。
【００４３】
以下の説明では、人工骨３０を高さ方向（第２軸線の方向）と直交する平面方向（以下、第２平面方向ともいう）に切断した切断面において人工骨３０の外周面に外接する外接円を第２外接円とする。図６では、人工骨３０を高さ方向中央位置で高さ方向と直交する平面方向（第２平面方向）に切断した切断面を示しており、この切断面における人工骨３０の外周面３０Ａ（外縁）に外接する外接円を第２外接円Ｒ２として示している。そして、第２外接円Ｒ２の直径をＤ２としている。なお、この第２外接円Ｒ２は、図４のように人工骨３０を平面視したときの人工骨３０の外縁図形に外接する外接円の形状と一致する。
【００４４】
貯留部１０では、このように構成された人工骨３０を貯留する。図２のように、貯留部１０では、各人工骨３０の高さ方向が第１軸線Ｏの方向に沿った方向となり各人工骨３０の外周面３０Ａが貯留部１０の内周面１０Ａと向かい合う位置関係で各人工骨３０を内部に収容し、複数の人工骨３０を第１軸線Ｏの方向に並べる形態で一列に貯留する。
【００４５】
そして、本構成では、第２外接円の直径Ｄ２と、上述の第１外接円（貯留部１０を上記第１平面方向（第１軸線Ｏと直交する平面方向）に切断した切断面において貯留部１０の内周面１０Ａに外接する外接円）の直径Ｄ１との関係がＤ１≧Ｄ２となっている。更に、上述の第３外接円（縮径部１２を上記第１平面方向に切断した切断面において縮径部１２の内周面１２Ａに外接する外接円）のうちの最小の直径Ｄ３と、第２外接円の直径Ｄ２との関係は、Ｄ３＜Ｄ２となっている。このような構成であるため、筒部２の第１軸線Ｏの方向と人工骨３０の高さ方向とを揃えた関係で人工骨３０を貯留部１０内に収容することができ、且つ、ある程度の力が加わらない限り人工骨３０が縮径部１２を通り抜けないようになる。
【００４６】
更に、第１軸線Ｏの方向のスリット３の長さＳＬは、上記の第１外接円の直径Ｄ１の１．０２倍〜１．６２倍の範囲内となっている。即ち、１．０２≦ＳＬ／Ｄ１≦１．６２である。
【００４７】
更に、上記の第１外接円の直径Ｄ１と、上記の第２外接円の直径Ｄ２との関係は、０≦（Ｄ１−Ｄ２）／Ｄ１≦０．０８３となっている。
【００４８】
１−２．実験例１
次に、実験例１について説明する。実験例１では、上述の第１外接円の直径Ｄ１に対するスリット３の第１軸線Ｏの方向の長さＳＬ（以下、スリット３の長さＳＬともいう）の倍率ＭＧ（以下、倍率ＭＧともいう）と、人工骨３０の排出性との関係を調べる実験を行った。なお、ＭＧは、ＭＧ＝ＳＬ／Ｄ１である。
【００４９】
実験例１では、人工骨３０は、第１幅ＢＷ及び第２幅ＢＬの各々を３．８５ｍｍとし、高さＢＨを３．９４ｍｍとした。実験例１では、倍率ＭＧが互いに異なるサンプルＮｏ．１〜４の４つのサンプルに基づく実験を行った。サンプルＮｏ．１〜４は、いずれのサンプルでも人工骨３０は共通形状のものを用い、いずれのサンプルでも上述の第１外接円の直径Ｄ１を４．９５ｍｍで共通とした。一方、各々のサンプルのスリット３の長さＳＬを異ならせることで、各々のサンプルの倍率ＭＧ（ＳＬ／Ｄ１）を異ならせた。
【００５０】
サンプルＮｏ．１では、スリット３の長さＳＬを４．７８ｍｍとし、倍率ＭＧを０．９７とした。サンプルＮｏ．２では、スリット３の長さＳＬを５．０４ｍｍとし、倍率ＭＧを１．０２とした。サンプルＮｏ．３では、スリット３の長さＳＬを８．０６ｍｍとし、倍率ＭＧを１．６２とした。サンプルＮｏ．４では、スリット３の長さＳＬを１０．００ｍｍとし、倍率ＭＧを２．０２とした。
【００５１】
また、サンプルＮｏ．１〜４のいずれも、上述の第３外接円のうち最小の直径Ｄ３は、４．２９ｍｍとした。
【００５２】
人工骨３０の排出性は、排出操作なく排出されないか否か、及び排出操作によって無理なく排出されるか否かの２点である。排出操作なく排出されないかについては、人工骨３０を充填した人工骨補填容器１に振動を与えて、人工骨３０が第２開口部５から排出されるか否かを調べた。
【００５３】
排出操作によって無理なく排出されるか否かについては、貯留部１０内の人工骨３０に対して先端側への移動力を加えた場合に人工骨３０が第２開口部５から排出されるか否かを調べた。この実験では、実験者が図示しない棒状の押出器を第１開口部４から挿入して人工骨３０を先端側に押圧した。このとき実験者が人工骨３０に加えた力は、実際の使用時に通常加えられる力であり、２４Ｎである。
【００５４】
実験例１による実験の結果、図７に示すように、サンプルＮｏ．２及び３では（即ち、倍率ＭＧが１．０２及び１．６２の場合）、人工骨３０の排出性が良好であった。つまり、サンプルＮｏ．２及び３では、押出器による押圧力を与えずに振動だけ与えても第２開口部５から人工骨３０は排出されず、押出器によって通常の押圧力が加えられた場合には第２開口部５から人工骨３０が排出された。
【００５５】
これに対し、サンプルＮｏ．１及び４では人工骨３０の排出性が不良であった。具体的には、倍率ＭＧが０．９７であるサンプルＮｏ．１では、人工骨３０に通常の押圧力が加えられても片持ち部６が筒部２の径方向外側に十分に広げられず、その結果、人工骨３０は縮径部１２によって先端側への移動が規制されてしまい排出されなかった。また、倍率ＭＧが２．０２であるサンプルＮｏ．４では、人工骨３０が充填された人工骨補填容器１に対して押圧器による押圧力を与えずに振動だけ与えたときに、人工骨３０が第２開口部５から排出される事例があった。
【００５６】
実験例１の実験結果から、倍率ＭＧが１．０２〜１．６２である場合、即ち、スリット３の長さＳＬは、第１外接円の直径Ｄ１の１．０２倍〜１．６２倍の範囲内である場合に人工骨３０の排出性が良好になるといえる。
【００５７】
１−３．実験例２
次に、実験例２について説明する。実験例２では、貯留部１０の内周面と人工骨３０の外周面との間の隙間の大きさと、人工骨３０の排出性との関係を調べる実験を行った。なお、人工骨３０の排出性については、上述した実験例１のケースと同義であるため説明を省略する。
【００５８】
貯留部１０の内周面と人工骨３０の外周面との間の隙間の大きさを示す指標ＣＬは、ＣＬ＝（Ｄ１−Ｄ２）／Ｄ１の式を用いて算出することとした。なお、Ｄ１は、上述の第１外接円の直径であり、Ｄ２は上述の第２外接円Ｒ２（図６参照）の直径である。
【００５９】
実験例２では、人工骨補填容器１の構成は変更せず、人工骨補填容器１内に充填する人工骨３０の大きさを変更することで、貯留部１０の内周面１０Ａと人工骨３０の外周面３０Ａとの間の隙間の大きさを変化させた。
【００６０】
具体的には、上述の第１外接円の直径Ｄ１を４．９５ｍｍに設定し、上述の第３外接円のうち最小の直径Ｒ３を４．２９ｍｍに設定し、スリット３の長さＳＬを８．００ｍｍに設定した。そして、サンプルＮｏ．１１では、Ｄ２を４．３３ｍｍとし、指標ＣＬを０．１２５（１２．５％）とした。サンプルＮｏ．１２では、Ｄ２を４．４７ｍｍとし、指標ＣＬを０．０９７（９．７％）とした。サンプルＮｏ．１３では、Ｄ２を４．５４ｍｍとし、指標ＣＬを０．０８３（８．３％）とした。サンプルＮｏ．１４では、Ｄ２を４．９４ｍｍとし、指標ＣＬを０．００２（０．２％）とした。
【００６１】
実験例２による実験の結果、図８に示すように、指標ＣＬが８．３％であるサンプルＮｏ．１３及び指標ＣＬが０．００２（０．２％）であるサンプルＮｏ．１４では、人工骨３０の排出性が良好であった。即ち、人工骨３０が充填された人工骨補填容器１に対して押圧器による押圧を行わずに振動だけ与えても人工骨３０は第２開口部５から排出されず、押出器によって通常の押圧力が加えられた場合には人工骨３０は第２開口部５から排出された。
【００６２】
これに対し、指標ＣＬが０．１２５（１２．５％）であるサンプルＮｏ．１１及び指標ＣＬが０．０９７（９．７％）であるサンプルＮｏ．１２では、人工骨３０の排出性が不良であった。指標ＣＬが０．１２５（１２．５％）であるサンプルＮｏ．１１では、人工骨３０が充填された人工骨補填容器１に対して押圧器による押圧を行わずに振動だけ与えたときに、人工骨３０が第２開口部５から排出される事例があった。また、サンプルＮｏ．１１では、人工骨３０が不正に回転してしまい、その結果、縮径部１２の内周面１２Ａに引っ掛かって人工骨３０が第２開口部５から排出されないという事例があった。指標ＣＬが０．０９７（９．７％）であるサンプルＮｏ．１２では、人工骨３０が充填された人工骨補填容器１に対して押圧器による押圧を行わずに振動だけ与えたときに、人工骨３０が第２開口部５から排出される事例があった。
【００６３】
実験例２の実験結果から、指標ＣＬを０．０８３（８．３％）以下に設定することで人工骨３０の排出性が良好になるといえる。つまり、第１外接円の直径をＤ１とし第２外接円の直径をＤ２とした場合に、（Ｄ１−Ｄ２）／Ｄ１≦０．０８３であることが排出性の面で望ましいといえる。
【００６４】
１−４．効果
第１実施形態の人工骨補填容器１は、スリット３の長さＳＬが第１外接円の直径Ｄ１の１．０２倍以上であるため、スリット３の長さが短すぎることに起因する排出の困難性を軽減することができる。よって、スリット近傍の片持ち状部分が変形しにくいこと、即ち筒部２の一端側（先端側）が拡径しにくいことに起因する過度な押し込み操作等を防ぎやすくなる。一方で、スリット３の長さＳＬが第１外接円の直径Ｄ１の１．６２倍以下であるため、スリット３の長さＳＬが長すぎることに起因する意図しない変形を抑制することができる。よって、熱や振動等の外的要因によってスリット近傍の片持ち状部分が変形しすぎることを抑制することができ、使用者が意図しない時期に人工骨３０が排出されてしまうことを抑えることができる。
【００６５】
上記の人工骨補填容器１は、第１外接円の直径をＤ１とし、第２外接円の直径をＤ２とした場合に、０≦（Ｄ１−Ｄ２）／Ｄ１≦０．０８３となっている。この構成によれば、人工骨３０の外周面３０Ａと貯留部１０の内周面１０Ａとが対向する正規の位置関係で人工骨３０が貯留部１０内に貯留された後、人工骨３０が不正な姿勢（人工骨３０の外周面３０Ａが貯留部１０の内周面１０Ａに適正に対向しない姿勢）に変化するように回転することを防ぎやすくなる。よって、人工骨３０が上記「不正な姿勢」に変化することに起因する詰まりを防ぎやすくなり、正規の排出操作時に人工骨３０が良好に排出されやすくなる。
【００６６】
上記の人工骨補填容器１において、筒部２は、縮径部１２よりも一端側にガイド部１６を備えている。そして、ガイド部１６の第１軸線Ｏと直交する方向の切断面におけるガイド部１６の内周面１６Ａに外接する第４外接円の直径は、第３外接円のうちの最小の直径Ｄ３よりも大きくなっている。この構成によれば、一端側（先端側）を拡径させながら縮径部１２付近を通り抜けた人工骨３０をガイド部１６の内周面１６Ａによって案内することができる。よって、一端から排出されようとする人工骨３０が筒部２の軸線上から大きく外れるような「ずれ」を抑制することができる。
【００６７】
上記の人工骨補填容器１において、縮径部１２は、一端側（先端側）に向かうにつれて厚さが大きくなっている。この構成によれば、人工骨３０が人工骨補填容器１の一端側を拡径する際に人工骨３０から押圧を受ける部分の強度を高めることができる。
【００６８】
２．第２実施形態
図９等で示す第２実施形態の人工骨補填容器２０１は、主に、筒部２０２の内側の断面形状が多角形状である点で第１実施形態の人工骨補填容器１と異なる。なお、以下で説明する人工骨補填容器２０１が貯留・排出する人工骨３０は、第１実施形態の人工骨補填容器１が貯留・排出する人工骨３０と同一である。
【００６９】
図９のように、第２実施形態の人工骨補填容器２０１は、第１軸線Ｏの方向に沿って延びる一端及び他端が開口した筒状の筒部２０２を備える。筒部２０２は、一端（先端）から他端側（後端側）に向かって延びるスリット２０３を有するとともに、自身の内部に第２軸線Ｚ１の方向に沿った外周面３０Ａを有する人工骨３０を第１軸線Ｏに沿うように複数収容する構成及び機能を有する。人工骨補填容器２０１は、筒部２０２の一端側（先端側）の開口から人工骨３０を排出するように構成されている。
【００７０】
人工骨３０は、第１実施形態と同一のものであり、図４〜図６のような構成をなし、第２軸線Ｚ１の方向に沿った外周面３０Ａを有する。
【００７１】
第１軸線Ｏは、筒部２０２の中心軸であり、筒部２０２の内周面及び外周面の中心となっている。第２実施形態でも、第１軸線Ｏの方向の一端側を後端側とし、第１軸線Ｏの方向の他端側を先端側とする。具体的には、人工骨補填容器２０１において第１開口部２０４が設けられた側を後端側とし、第２開口部２０５が設けられた側を先端側とする。以下の説明では、筒部２０２の一端を先端とも称し、筒部２０２の他端を後端とも称する。
【００７２】
筒部２０２は、上記第１軸線Ｏの方向に沿って延び、両端が開口した形状をなしている。筒部２０２は、後端側に第１開口部２０４が設けられ、先端側に第２開口部２０５が設けられている。第１開口部２０４は、人工骨補填容器２０１の後端において人工骨３０の入口（挿入口）として機能するとともに、筒部２０２内に貯留された人工骨３０を押し出す棒状の押出器の挿入口としても機能する。第２開口部２０５は、人工骨補填容器２０１の先端において人工骨３０の出口（排出口）として機能する。筒部２０２における第１軸線Ｏの方向の各位置での厚さは、例えば０．３ｍｍ〜１．０ｍｍの範囲内となっている。
【００７３】
図１０で示されるように、筒部２０２は、貯留部２１０と、縮径部２１２と、小径部２１４と、ガイド部２１６とを有する。図１０では、第１軸線Ｏの方向において、貯留部２１０の領域を符号ＡＲ１で示し、縮径部２１２の領域を符号ＡＲ２で示し、小径部２１４の領域を符号ＡＲ３で示し、ガイド部２１６の領域を符号ＡＲ４で示す。筒部２０２は、第１軸線Ｏの方向のいずれの位置でも、第１軸線Ｏと直交する方向（第１平面方向）に切断した切断面での外周面の形状が円形状（具体的には、真円又は真円の一部が欠けた円形状）となるように構成されている（図１１も参照）。また、筒部２０２は、第１軸線Ｏの方向のいずれの位置でも、第１平面方向に切断した切断面での内周面の形状が多角形状（具体的には、四角形状は四角形の一部が欠けた四角形状）となるように構成されている。
【００７４】
筒部２は、第１軸線Ｏの方向の略全範囲において、上記第１平面方向に切断した切断面での外周面の形状が一定外径の円形状（具体的には、真円又は真円の一部が欠けた円形状）となるように構成されている。このような一定外径の外周面は、貯留部１０の領域と、縮径部１２の領域と、小径部１４の領域と、ガイド部１６の領域とに跨るように配置されている。
【００７５】
貯留部２１０は、自身の内周面２１０Ａの形状が第１軸線Ｏの方向の所定範囲に亘って一定であるとともに、人工骨３０の外周面３０Ａを自身の内周面２１０Ａに対向させる位置関係で人工骨３０を自身の内部に貯留する。貯留部２１０は、第１平面方向の切断面での自身の内周面２１０Ａの形状が第１軸線Ｏの方向の所定範囲に亘って一定である筒状をなしている。具体的には、貯留部２１０における第１軸線Ｏの方向のいずれの位置でも、上記第１平面方向で切断したときの切断面での内周面２１０Ａの形状が第１軸線Ｏを中心とする正四角形状となっている。
【００７６】
図１２のように、貯留部２１０を第１平面方向に切断した切断面での内周面２１０Ａの形状は、スリット２０３が設けられていない領域では一辺が所定長さの正方形であり、スリット２０３が設けられた領域では一辺が所定長さの正方形の一部が欠けた形状をなす。
【００７７】
ここで、貯留部２１０を第１軸線Ｏと直交する方向に切断した切断面における貯留部２１０の内周面２１０Ａに外接する外接円を「第１外接円」とする。本構成では、貯留部２１０を第１軸線Ｏの方向のいずれの位置で第１軸線Ｏと直交する方向（第１平面方向）に切断した切断面においても、貯留部２１０の内周面２１０Ａに外接する第１外接円の直径Ｄ１は一定となる。本構成のように、貯留部２１０を第１軸線Ｏの方向のいずれの位置で第１平面方向に切断した切断面でも一辺が所定長さの正方形状となるように内周面２１０Ａが構成される場合、貯留部２１０を第１軸線Ｏの方向のいずれの位置で第１平面方向に切断した切断面でも、第１軸線Ｏを中心として内周面２１０Ａの角の位置を通る円が第１外接円となる。図１２では、第１外接円の形状及び大きさを符号Ｒ１が付された図形で概念的に示す。
【００７８】
このように構成された貯留部２１０は、人工骨３０の外周面３０Ａを自身の内周面２１０Ａに対向させる位置関係で複数の人工骨３０を自身の内部に一列に貯留するように機能する。
【００７９】
縮径部２１２は、筒状をなしており、貯留部２１０よりも一端側（先端側）に設けられるとともに一端側（先端側）に向かうにつれて自身の内部空間が狭くなる構成をなす。縮径部２１２の内周面２１２Ａは、先端側に向かうにつれて窄まるように小さくなる（内部空間が狭くなる）窄み面となっている。縮径部２１２は、筒部２０２の先端側に続く構成で設けられ、筒部２０２の先端が縮径部２１２の後端と一致している。
【００８０】
縮径部２１２は、先端側に向かうにつれ、第１平面方向（第１軸線Ｏと直交する平面方向）の切断面において自身の内周面２１２Ａの形状が小さくなる。なお、縮径部２１２を第１軸線Ｏの方向のいずれの位置で第１軸線と直交する方向（第１平面方向）に切断した切断面でも、内周面２１２Ａの形状は正方形の一部が欠けた正方形状となる。縮径部２１２は、第３外接円（縮径部２１２の第１軸線と直交する方向（第１平面方向）の切断面における自身の内周面２１２Ａに外接する外接円）の直径が一端側（先端側）に向かうにつれて小さくなる。そして、縮径部２１２は、自身の先端２１２Ｃ（後述する小径部２１４との境界）において第３外接円の直径が最も小さくなる。図１０では、第３外接円の直径が最も小さくなる位置での第３外接円の直径をＤ３としている。
【００８１】
縮径部２１２において第１軸線Ｏの方向のいずれの位置でも外周面２１２Ｂの径はＤａで一定である。従って、縮径部２１２は、先端側に向かうにつれて厚さ（軸線と直交する半径方向の肉厚）が大きくなっている。
【００８２】
小径部２１４は、筒状をなしており、縮径部２１２とガイド部２１６との間に設けられ、縮径部２１２とガイド部２１６とを連結する。小径部２１４は、縮径部２１２の先端側に続く構成で設けられ、縮径部２１２の先端が小径部２１４の後端と一致している。小径部２１４は、第１軸線Ｏの方向のいずれの位置で上記第１平面方向に切断した切断面でも、内周面の形状は正方形の一部が欠けた正方形状となる。具体的には、小径部２１４における第１軸線Ｏの方向のいずれの位置でも小径部２１４の内周面２１４Ａは同一サイズ及び同一形状の正方形である。
【００８３】
ガイド部２１６は、筒状をなしており、縮径部２１２よりも先端側に設けられる。ガイド部２１６は、小径部２１４の先端側に続く構成で設けられ、小径部２１４の先端位置がガイド部２１６の後端位置となっている。また、ガイド部２１６の後端の開口部が上述の第２開口部５となっている。
【００８４】
ガイド部２１６を第１軸線Ｏの方向のいずれの位置で第１平面方向（第１軸線Ｏと直交する平面方向）に切断した切断面においても、内周面２１６Ａの形状は正方形の一部が欠けた正方形状をなす。従って、ガイド部２１６の先端における内縁形状（内周面２１６Ａの先端形状）も正方形の一部が欠けた正方形状をなす。ガイド部２１６は、先端側に向かうにつれ、上記第１平面方向の切断面において自身の内周面２１６Ａの径が大きくなる。より具体的には、ガイド部２１６の内周面２１６Ａは、後端付近において断面形状が一定の内周面Ｙ１（円筒状面）と、内周面Ｙ１よりも先端側において先端側ほど断面形状が大きくなる内周面Ｙ２（拡径面）とを有する。また、内周面Ｙ１の断面形状は小径部２１４の内周面の断面形状よりも大きく、内周面Ｙ１と小径部２１４の内周面とが段差状となっている。
【００８５】
ガイド部２１６は、先端側に向かうにつれ第４外接円（ガイド部２１６の第１軸線Ｏと直交する方向（第１平面方向）の切断面における自身の内周面２１６Ａに外接する外接円）の直径が大きくなる。ガイド部２１６を第１軸線Ｏの方向のいずれの位置で第１軸線Ｏと直交する方向（第１平面方向）に切断した切断面でも、第４外接円の直径は、上述の第３外接円のうちの最小の直径Ｄ３よりも大きくなる。
【００８６】
スリット２０３は、筒部２０２の一端（先端）から他端側（後端側）に向かって延びる構成をなし、筒部２０２の一端（先端）から、上述のガイド部２１６、小径部２１４、縮径部２１２、及び貯留部２１０の一部に跨るように切り欠かれた形態で溝状に構成されている。スリット２０３は、少なくとも縮径部２１２の一端側（先端側）の端部を越えて他端側（後端側）まで延びており、より具体的には、貯留部２１０の一端（先端）よりも他端側（後端側ま）で延びている。
【００８７】
この構成でも、第１外接円（貯留部２１０を第１軸線Ｏと直交する方向（第１平面方向）に切断した切断面における貯留部２１０の内周面２１０Ａに外接する外接円）の直径Ｄ１は、第２外接円（人工骨３０を第２軸線Ｚ１と直交する方向（第２平面方向）に切断した切断面における人工骨３０の外周面３０Ａに外接する外接円）の直径Ｄ２以上である。そして、上述の第３外接円（縮径部２１２の第１軸線Ｏと直交する方向（第１平面方向）の切断面における自身の内周面２１２Ａに外接する外接円）のうちの最小の直径Ｄ３が第２外接円の直径Ｄ２よりも小さい。
【００８８】
そして、スリット２０３の長さＳｌは、第１外接円の直径Ｄ１の１．０２倍〜１．６２倍の範囲内である。更に、第１外接円の直径Ｄ１と第２外接円の直径Ｄ２との関係は、０≦（Ｄ１−Ｄ２）／Ｄ１≦０．０８３である。そして、第４外接円（ガイド部２１６の第１軸線Ｏと直交する方向（第１平面方向）の切断面における自身の内周面２１６Ａに外接する外接円）の直径は、第３外接円のうちの最小の直径Ｄ３よりも大きい。
【００８９】
このような第２実施形態の構成でも、第１実施形態と同様の効果が得られる。
【００９０】
＜他の実施形態＞
本発明は上記記述及び図面によって説明した実施形態に限定されるものではなく、例えば次のような実施形態も本発明の技術的範囲に含まれる。また、上述した実施形態や後述する実施形態の様々な特徴は、矛盾しない組み合わせであればどのように組み合わせてもよい。
【００９１】
第１実施形態及び第２実施形態では、第１開口部４から筒部２内に人工骨３０を入れる構成としたが、別の部分から入れる構成としてもよい。例えば、筒部２の側面に形成した開口部から入れる構成としてもよいし、筒部２の側面から分岐した分岐部を介して入れる構成としてもよい。
【００９２】
第１実施形態及び第２実施形態では、筒部が小径部を備える構成としたが、筒部が小径部を備えない構成としてもよい。この場合、ガイド部の後端部が縮径部の先端部に連結されるようにすればよい。
【００９３】
第１実施形態及び第２実施形態では、筒部がガイド部を備える構成としたが、筒部がガイド部を備えない構成としてもよい。この場合、縮径部の先端部に第２開口部が設けられる構成としてもよいし、小径部の先端部に第２開口部が設けられる構成としてもよい。
【００９４】
第１実施形態及び第２実施形態では、ガイド部の内周面が小径部の内周面に対して段差状をなす構成としたが、段差なく連続する構成としてもよい。
【００９５】
第２実施形態では、筒部の内側の断面形状を四角形状としたが、四角形状以外の多角形状（例えば正方形状、長方形状、五角形状など）としてもよい。
【００９６】
第１実施形態及び第２実施形態では、人工骨３０の断面形状を四角形状としたが、四角形状以外の多角形状（例えば正方形状、長方形状、五角形状など）としてもよい。
【符号の説明】
【００９７】
１，２０１…人工骨補填容器
２，２０２…筒部
３，２０３…スリット
１０，２１０…貯留部
１２，２１２…縮径部
１６，２１６…ガイド部
３０…人工骨
Ｏ…軸線
【図１】
2020178901.tif 000003
【図２】
2020178901.tif 000004
【図３】
2020178901.tif 000005
【図４】
2020178901.tif 000006
【図５】
2020178901.tif 000007
【図６】
2020178901.tif 000008
【図７】
2020178901.tif 000009
【図８】
2020178901.tif 000010
【図９】
2020178901.tif 000011
【図１０】
2020178901.tif 000012
【図１１】
2020178901.tif 000013
【図１２】
2020178901.tif 000014